(57)【要約】【課題】  建物の外壁内に雨水を貯留可能とすることにより雨水の有効利用を促進する。【解決手段】  本発明に係る雨水貯留槽壁を備えた建物の構成は、貯留槽壁をなす壁体３を、対向する１対の鋼板３ａ，３ｂ同士を複数の鋼管７で所定間隔を維持可能に結合したものからなり、これらの鋼管により高水圧にも耐え得るものとなっている。これらの壁体３を所定数だけつなぎ合わせることにより建物の外周壁１としたものである。この外周壁１は、鋼板間に区画形成される空間を上記建物から集めた雨水を貯留可能な貯留水槽４としてあり、この貯留水槽４には貯留した雨水を建物の内外で利用可能にする配水管を接続してある。貯留水槽４に貯留した雨水は、配水管を経て散水、消火用水、水洗便所などに利用可能であるほか、雨水浄化装置を設けることにより飲料水としても利用可能である。【選択図】      図３
2008082037.tif 000002
【特許請求の範囲】
【請求項１】
対向する１対の鋼板同士を複数の鋼管で所定間隔を維持可能に結合してなる壁体をつなぎ合わせることにより建物の外周壁とし、
上記外周壁は上記鋼板間に区画形成される空間を上記建物から集めた雨水を貯留可能な貯留水槽としてあり、
上記貯留水槽には貯留した雨水を上記建物の内外で利用可能にする配水管が接続してある
ことを特徴とする雨水貯留槽壁を備えた建物。
【請求項２】
請求項１おいて、上記鋼管は上記建物の構造に対応して複数種類を所望の位置に配置可能であり、上記鋼管には梁及び／又は内装材を支持可能にする支持部材を挿着可能としてあることを特徴とする雨水貯留槽壁を備えた建物。
【請求項３】
請求項１又は請求項２おいて、上記壁体同士は、各上記鋼板の端部をコの字状に折り曲げて折り曲げ端部とし、上記折り曲げ端部同士を当接し，ボルトとナットを用いて締結することにより連結してあることを特徴とする雨水貯留槽壁を備えた建物。
【発明の詳細な説明】
【技術分野】
【０００１】
本発明は、外周壁に雨水貯留槽としての機能を有する雨水貯留槽壁を備えた建物に関するものである。
【背景技術】
【０００２】
周知のとおり、都市住宅における水不足や上水の消費量節減又は水害対策として建物から地表に流れ落ちる雨水対策が種々講じられている。この中で、特に雨水の有効利用を図るための提案の例としては、以下のようなものを挙げることができる。特許文献１には、建物のバルコニーの手摺り壁、あるいは建物の外壁に沿って雨水貯水槽を設け、これに屋根等から集めた雨水を導く導水管をつなぎ、バルコニーの床面に散水配管をつなぐようにしたものが記載されている。特許文献２には、建物の外壁に沿ってタンク本体を設け、これに雨樋に接続された排水用縦樋を連結して雨水を貯留可能とし、タンク本体に注水口を設けてなる雨水貯水装置が記載されている。また、特許文献３には、建物の外壁と内壁の間、上階部の床の内部空間等、建築構造物の内部空間を雨水貯水タンクとする建築構造物が記載されている。
【０００３】
【特許文献１】特開平８−１４４３６３号公報
【特許文献２】特開平９−６７８３７号公報
【特許文献３】特開平１０ー３１７５３８号公報
【発明の開示】
【発明が解決しようとする課題】
【０００４】
上記文献1記載の装置は、小規模であり、大貯水量を確保することには適さない問題を含んでいる。また、文献２記載の装置では、建物の外壁に沿ってタンクを設けるものであるので、貯水容量が大きくなればそれだけ、敷地の面積を多く必要とされる問題がある。これに対し、文献３記載の建築構造物では、建物の壁や床そのものを貯水槽とするものであることから、貯水容量も大きくすることが可能である上に、耐火構造物となり、あるいは雨水を直接スプリンクラー用水とする用途にも供される等の利点がある。しかし、実際にこの建築構造物を構築する際には、構造が複雑となり、かつ水圧による壁等の損壊対策も要求される問題がある。
【課題を解決するための手段】
【０００５】
上記の課題を解決するために、本発明は以下の手段を採用することにより以下の作用効果を生じるようにした。請求項１に記載した発明における雨水貯留槽壁を備えた建物は、対向する１対の鋼板同士を、複数の鋼管で所定間隔を維持可能に結合してなる壁体をつなぎ合わせることにより建物の周囲を取り囲む外周壁（雨水貯留槽壁）を構成している。上記の外周壁は、上記の対向する鋼板間に区画形成される空間を、建物の屋根等から集めた雨水を貯留可能な貯留水槽としてあり、この貯留水槽には、貯留した雨水を建物の内外で利用可能にする配水管が設けてある。
【０００６】
この発明は、建物の外周壁をなす壁体を対向する１対の鋼板で構成し、その隙間を雨水の貯留水槽としたものである。各鋼板には貯留水の水位に応じて水圧が作用するが、この水圧に対しては、複数の鋼管で対向する鋼板同士を結合することにより水圧に抵抗可能とし、かつ鋼板同士の間隔を維持可能としてある。貯留水槽への貯水は、建物の屋根や屋上から雨水を導入し、ここに貯留した雨水を、配水管を経て水洗便所、散水、消火用栓等に接続することにより利用可能とする。また、貯留水は熱交換作用により建物内の温度調整として、あるいはスプリンクラー用水としての機能も果たし得る。
【０００７】
請求項２に記載した発明の建物は、請求項１に記載した発明における鋼管の機能について限定したものである。これらの鋼管は、建物の構造に対応して複数種類を所望の位置に配置可能であり、梁及び／又は内装材を支持可能にする支持部材を挿着可能としてあるところに特徴がある。この発明に係る建物は、外周壁をなす壁体が鋼板でできており、しかも水密性を要する構造であるため、みだりに穴を開けることができないことから、上記の鋼管に間仕切りや内装材を支持するための支持部材を挿着することにより利用可能としたものである。上記の支持部材は、鋼管の配置位置の適切な選定により建物の内部構造の構築を容易化する。
【０００８】
請求項３に記載した発明の建物は、上記の壁体同士をつなぎ合わせる手段として、通常は溶接を採用するのに対し、ここでは他の手段を採用したものである。この手段は、各鋼板の端部を、コの字状に折り曲げてなる折り曲げ端部とし、上記折り曲げ端部同士を当接し，ボルトとナットを用いて締結することを採用したものである。これにより解体作業が容易な構成となるので、短期使用向け家屋や増改築予定住宅として有効な手段となる。
【発明の効果】
【０００９】
本発明によれば、建物の外周壁を貯留水槽としてあるので、特別な空間を要せずに雨水を利用可能となる。外周壁をなす壁体は、対向する１対の鋼板を複数の鋼管によって所定の間隔を保持可能としてあるので、水圧に対する強度が充分に得られる。狭い敷地であっても雨水の有効利用を可能とする他、屋内の温度調整の効果もある。また、鋼管を適切に配設して、梁又は内装材を支持可能な支持部材を挿着可能とすれば、内装等の施工にも便利である。
【発明を実施するための最良の形態】
【００１０】
図１は、本発明を適用してなる建物の外観を示している。この建物Ｈの外周壁（雨水貯留槽壁）１は、後述する壁体３，…をつなぎ合わせたものからなる。建物のすべての壁部を雨水貯留槽壁とするか、一部のみとするかは任意である。図面では、建物の奥行き面が雨水貯留槽壁１となっており、間口面は通常の壁４３となっている。図１に示すように、建物Ｈの屋根へ降下した雨水は、雨樋２に集められ、さらに導水管２ａ，２ａから外周壁１内に導かれるようになっている。外周壁１の内部は貯留水槽４（図２参照）となっており、ここに屋根から集められた雨水を貯留可能となっている。外周壁１の導水管２ａよりもやや下になる位置には、長雨などにより貯水量がその限度を超えた場合に、外に逃がすための溢水栓２ｃが設けてある。図示は省略してあるが、この溢水栓には地表に届く溢水管が接続してある。この貯留水槽４には、貯まった雨水を利用するための配水管５が設けてある（図５参照）。配水管５は、屋内では水洗便所、スプリンクラー等に、屋外では散水や洗車等に利用可能とする。もちろん雨水浄化装置を備え付ければ飲料水としての利用も可能である。
【００１１】
図２は、上述の外周壁１をなす壁体３の構造を示したものである。図２に示すように、壁体３は、１対の鋼板３ａ，３ｂを複数の鋼管（１個だけ図示）７で所定間隔に保持したものからなる。壁体３は、具体的には１対の鋼板３ａ，３ｂを２００ｍｍの間隔で対向させ、両者は鋼管７を介して水密可能に結合してある。この鋼管７は、壁体３を横切って外周壁１の内外を連通可能としてあるので、エアコンディショナーや各種の配線・配管用穴としてある。また、後述するように、これに支持部材を挿通して内装材の支持手段としても利用可能である。これらの用途に利用しないものについては、端部にキャップを被せて内外を遮断可能とする（図４参照）。鋼板３ａ、３ｂの厚さの例としては、一般構造用鋼を採用する場合、建物が１階建ての場合には、厚さ４．５ｍｍ、２階建ての場合には、２階部分は４．５ｍｍ、１階部分は６ｍｍとしてある。鋼管７は目的に応じて内外径を選択可能になっているが、その長さは、鋼板３ａ，３ｂに穿設した取付け穴部に挿通したときに、両端部が鋼板の表面から溶接に必要な分だけ突出可能な長さとするとよい。壁体３の取付け穴部に挿通した鋼管７の先端外周部と、その周囲の各鋼板の表面とには、溶接で接合することにより溶着部９が鋼板といった一体に形成されることにより水密性が保障される。
【００１２】
図３は、壁体３，３をつなぎ合わせて外周壁１の一部として採用してある状態を示している。図示してあるように、複数の鋼管７，…によって所定の間隔で結合された壁体３が、側端部同士を溶接によりつなぎ合わされている。つなぎ合わせによりできた継ぎ目１５，１５は壁体３に腐食防止のために、錆止め処理を施しておくことが望ましい。なお、壁体３の内面及び鋼管７の表面には、同様に錆止め処理を施しておくことが望ましい。小規模建物では、これらの壁体３，３をつなぎ合わせるだけで壁構造建物とすることも可能であるが、一般住宅等の通常規模の建物については、壁体３の内側に構造計算上充分な強度を有するものとするために、図示してあるように、鉄骨柱１７や鉄骨梁１８を用いて各壁体３を保持するようにするとよい。
【００１３】
次に、この建物の内装や間仕切りを、各鋼管を利用して実装した例について、図４を参照して説明する。図４（ａ）は、鋼管７に内側からフランジ状の合成樹脂製支持部材２１を、鋼管７の外側に外キャップ２２を嵌め込んだ例を示している。支持部材のフランジ部２１ａの外面には、間柱２３を固着し、さらにこの間柱を基礎として木製合板（コンパネ）又はプラスター２４を張り付け、さらにその表面にクロス２５を貼り付けてある。この場合における鋼管７の配置は、予め間柱２３を取り付けるために必要な位置を設定しておくとよい。
【００１４】
図４（ｂ）は、鋼管を利用して内壁や間仕切り等を設ける場合の基礎となる支持部材を示している。内壁や間仕切り等は、外周壁１に強力に結合させる必要があることから、支持部材３１を鋼製とし、ボルト締めなどを可能としてある。さらにこの支持部材３１に対しては、鋼管からの脱落防止を図るために、外キャップ３２と組合せてなる螺合手段を採用してある。すなわち、支持部材３１は、フランジ状の直筒部３１ｂにメネジ３１ｃを刻設し、フランジ状の外キャップ３２のフランジ部３２ａに続く首下の部分を２段階に形成し、大径部は鋼管７の内周部への嵌合部とし、細径部にはオネジ３２ｃを刻設したものを採用してある。梁３３等にこの支持部材３１を固着し、この支持部材の直筒部３１ｂを鋼管７に挿着し、その後、外キャップ３２を挿着してそれぞれの先端部同士を突き合わせて螺合可能としてある。支持部材のフランジ部３１ａの正面には、図示してあるように、鉄骨３３などを取り付ける場合に、溶接又はボルト結合などを可能とし、間仕切りなど木製部材を取り付ける場合には、接着剤による接合又はボルト結合などを可能としてある。
【００１５】
この貯留水槽４を建物のどの部分に設けるかについては、建物の立地、規模等により種々の組合せがある。図５は、その例示であるが、同図（ａ）は、１階建ての場合を示している。なお、いずれの図においても溢水栓２ｃ（図１参照）の図示は省略してある。この構造では、屋根から雨樋２に集められた雨水は、導水管２ａを経て外周壁１内の貯留水槽４に流れ込む。貯留水槽４に貯まった雨水は、配水管５を介して屋外では散水栓３５に、また、屋内では水洗便所のタンク３６に供給可能となっている。
【００１６】
同図（ｂ）は、２階建て住宅において、１階部分は通常の壁４３とし、２階部分を貯留水槽４付きの外周壁１としたものである。２階部分の貯留水槽４に貯まった雨水は、連結管３７を介して配水管５に至り、ここから上記と同様にして、屋外では散水栓３５に、屋内では水洗便所のタンク３６にそれぞれ供給可能となっている。この構造においては、１階の天井にも配水管４５を設け、貯留水槽４に貯まった雨水を引き込み可能とすることにより、消火用スプリンクラー３９に供給可能となっている。
【００１７】
同図（ｃ）は、同じく２階建て住宅であるが、（ｂ）とは逆に、１階の外壁を貯留水槽４付きの外周壁１とし、２階の外壁に通常構造の壁４３を配置したものを示している。雨水は、雨樋２から導水管２ｂを経て貯留水槽４に流入するようになっている。なお、導水管２ｂは、図５（ｂ）で採用してある連結管３７を、２階部分の通常の壁４３の内部を通すようにしてもよい。この型では、消火用スプリンクラーを設ける場合には、ポンプを用いるか、水道水を用いるかしなければならないところにやや難点があるが、３階建て住宅等に適用する場合にも適用可能であり、広範な適用に対応可能である。同図（ｄ）は、１，２階ともに貯留水槽４を備えた外周壁１，１で構成したものを示している。この構造は、大貯水量とすることができるため、雨水の有効利用上は優れているが、１階部分の水圧が高くなるので、強度対策や漏水防止対策に注意が必要となる。
【００１８】
上記の説明において、壁体３，３のつなぎ合わせは、溶接によって行われるようにしてあるが、図６に示すように、ボルトとナットによるボルト締めを採用することも可能である。これは同図（ａ）に示すように、鋼板３ａ，３ｂのつなぎ目となる端部をコの字状に折り曲げて折り曲げ端部７１を形成し、これらの折り曲げ端部７１，７１同士をボルト７５とナット７６とで締め付けるようにしたものである。当接したた折り曲げ端部同士の対向面間には、水密保持用のパッキン７７を介在させてある。このつなぎ合わせは、折り曲げ加工やボルト締めの手間がかかるが、解体時の作業を容易化することを優先する場合に好適である。
【００１９】
以上説明した建物において、鋼板や鋼管の材質・寸法については、建物の用途やコストなどの設計上の諸要素を考慮して選択することが望ましい。また、建物の周囲を、貯留水槽を備えた外周壁と、通常の壁とを適宜配置したものとしてあるが、建物の周囲全体を、貯留水槽を備えた外周壁とすれば、貯水容量を大きくできる。しかし、建物である以上は、出入り口や窓を備えていることが要求されるため、出入り口や窓を備えた壁体を採用することも可能である。どのような配置構造とするかは、種々の条件を勘案して定めることになる。なお、場合によっては、渇水時に備えて、貯留水槽に水道水を補充可能とし、スプリンクラーや水洗便所等の機能停止を回避するようにするとよい。
【産業上の利用可能性】
【００２０】
本発明は、建物の構造に関するものであり、本発明の実施により建築業並びに建築資材関係の産業の発達に貢献する。
【図面の簡単な説明】
【００２１】
【図１】本発明を適用した建物の外観を示す斜視図である。
【図２】壁体の基本構造の要部を示すものであり、（ａ）は断面図、（ｂ）は正面図である。
【図３】外壁の設置状態を示す切欠斜視図である。
【図４】鋼管と支持部材との関係を示しており、（ａ）は内装材支持部材を装着してあることを示す断面図、（ｂ）は間仕切り等の支持部材を装着してあることを示す断面図である。
【図５】貯留水槽の設置位置による建物の構造の種類例を示す説明図である。
【図６】壁体を連結する構造の他の手段を示すものであり、（ａ）は要部の断面図、（ｂ）は要部の正面図である。
【符号の説明】
【００２２】
１            外周壁
３            壁体
３ａ，３ｂ    鋼板
４            貯留水槽
５，４５      配水管
７            鋼管
２１，３１    支持部材
７５          ボルト
７６          ナット
Ｗ            雨水
【図１】
2008082037.tif 000003
【図２】
2008082037.tif 000004
【図３】
2008082037.tif 000005
【図４】
2008082037.tif 000006
【図５】
2008082037.tif 000007
【図６】
2008082037.tif 000008